(57)【要約】      （修正有）【課題】表示パネル、ＧＰＳ機能、ソーラーパネル、もしくは各種センサーなどを搭載したデジタル表示式、且つ小型の携帯型電子機器を提供する。【解決手段】ケース３１と、ケース３１内に設けられた太陽電池８０と、ケース３１内に設けられ、非導電性部材としてのベース２６と、非導電性部材２６の表面に設けられた導電体２７とを含み、測位衛星信号を受信するアンテナ部としてのＧＰＳアンテナ２８と、ケース３１内に設けられ、太陽電池８０およびアンテナ部２８と電気的に接続された回路基板２０と、を備え、太陽電池８０の受光面８０ａ，８０ｂ，８０ｃ，８０ｄの法線方向からの平面視において、アンテナ部２８は、太陽電池８０と重なる。【選択図】図５
2019032221.tif 000002
【特許請求の範囲】
【請求項１】
ケースと、
前記ケース内に設けられた太陽電池と、
前記ケース内に設けられ、非導電性部材と、前記非導電性部材の表面に設けられた導電体とを含み、測位衛星信号を受信するアンテナ部と、
前記ケース内に設けられ、前記太陽電池および前記アンテナ部と電気的に接続された回路基板と、を備え、
前記太陽電池の受光面の法線方向からの平面視において、前記アンテナ部は、前記太陽電池と重なることを特徴とする携帯型電子機器。
【請求項２】
請求項１において、
前記回路基板に支持された処理部と、
前記アンテナ部と前記処理部とを電気的に接続し、前記回路基板に支持された接続部と、を備え、
前記接続部は、前記平面視で、前記太陽電池と重なることを特徴とする携帯型電子機器。
【請求項３】
請求項２において、
前記ケースは、前記法線方向の一方に開口する開口部を有し、
前記太陽電池は、前記平面視において、前記開口部の内周長よりも短い外縁部と、前記外縁部の長さよりも短い内縁部と、を備え、
前記接続部の少なくとも一部は、前記外縁部と前記内縁部との間に配置されることを特徴とする携帯型電子機器。
【請求項４】
請求項１ないし請求項３のいずれか一項において、
前記受光面の法線方向と直交する方向からの断面視において、前記アンテナ部は、前記太陽電池と前記回路基板との間に配置されることを特徴とする携帯型電子機器。
【請求項５】
請求項１ないし請求項４のいずれか一項において、
前記平面視で、前記非導電性部材の少なくとも一部は、前記太陽電池と重なることを特徴とする携帯型電子機器。
【請求項６】
請求項２ないし請求項５のいずれか一項において、
前記接続部は、前記導電体と前記処理部とを電気的に接続する接点であることを特徴とする携帯型電子機器。
【請求項７】
請求項３ないし請求項６のいずれか一項において、
前記処理部と電気的に接続された表示部を備え、
前記平面視で、前記表示部の外周端部は、前記太陽電池の前記外縁部と前記内縁部との間に配置されることを特徴とする携帯型電子機器。
【請求項８】
請求項７において、
前記平面視において、前記アンテナ部は、前記表示部の輪郭よりも外側に配置されることを特徴とする携帯型電子機器。
【発明の詳細な説明】
【技術分野】
【０００１】
本発明は、携帯型電子機器に関する。
【背景技術】
【０００２】
従来、バンド等によって手首等の部位に装着され、時計表示機能や位置表示機能を備えたリスト機器などの携帯型電子機器が知られている。例えば特許文献１には、携帯型電子機器の一例として装着者の身体に装着し、位置測位システムの一例としてのＧＰＳ衛星（測位用衛星）からのＧＰＳ（Global Positioning System）電波を受信するためのパッチアンテナや自己発電を行うためのソーラーパネルなどを備えた、所謂アナログ式腕時計が開示されている。
【先行技術文献】
【特許文献】
【０００３】
【特許文献１】特開２０１６−１７６９５７号公報
【発明の概要】
【発明が解決しようとする課題】
【０００４】
しかしながら、特許文献１に開示されているアナログ式腕時計に用いられているパッチアンテナは、比誘電率の大きい誘電体を使用することによりＧＰＳ電波を受信できるようにしているため、そのサイズが大きくなってしまう。特許文献１に開示されているアナログ式腕時計に対して、このようなパッチアンテナを、表示パネルを用いてデジタル表示を行う、所謂デジタル表示式の携帯型電子機器に用いる場合、表示パネル、ＧＰＳ機能、ソーラーパネル、もしくは各種センサーを搭載するとき、パッチアンテナではそのサイズが大きすぎるため、携帯型電子機器が大型化してしまうという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る携帯型電子機器は、ケースと、前記ケース内に設けられた太陽電池と、前記ケース内に設けられ、非導電性部材と、前記非導電性部材の表面に設けられた導電体とを含み、測位衛星信号を受信するアンテナ部と、前記ケース内に設けられ、前記太陽電池および前記アンテナ部と電気的に接続された回路基板と、を備え、前記太陽電池の受光面の法線方向からの平面視において、前記アンテナ部は、前記太陽電池と重なることを特徴とする。
【０００７】
本適用例に係る携帯型電子機器によれば、アンテナ部は、非導電性部材と、非導電性部材の表面に設けられた導電体とによってコンパクトに構成することができるため、小型のアンテナとすることができる。そして、回路基板に支持された処理部の取得する信号に係る無線信号を受信するアンテナ部を構成する非導電部材、換言すればアンテナの少なくとも一部が、太陽電池の受光面の平面視で、太陽電池と重なって配置されていることから、小型の携帯型電子機器においてもケース内に収容することが可能となる。
【０００８】
［適用例２］上記適用例に記載の携帯型電子機器において、前記回路基板に支持された処理部と、前記アンテナ部と前記処理部とを電気的に接続し、前記回路基板に支持された接続部と、を備え、前記接続部は、前記平面視で、前記太陽電池と重なることが好ましい。
【０００９】
本適用例によれば、太陽電池の受光面の平面視で、アンテナ部と処理部とを電気的に接続している接続部が、太陽電池と重なって配置することにより、アンテナ部と処理部との配置レイアウトの自由度を広げ、且つコンパクトな配置とすることができる。また、アンテナの受信感度に影響させることなく太陽電池の受光面積を大きくすることができ、太陽電池の発電量を増大させることができる。
【００１０】
［適用例３］上記適用例に記載の携帯型電子機器において、前記ケースは、前記法線方向の一方に開口する開口部を有し、前記太陽電池は、前記平面視において、前記開口部の内周長よりも短い外縁部と、前記外縁部の長さよりも短い内縁部と、を備え、前記接続部の少なくとも一部は、前記外縁部と前記内縁部との間に配置されることが好ましい。
【００１１】
本適用例によれば、アンテナ部を構成する非導電部材、および接続部の少なくともいずれかが、ケースの開口の内周に沿った外縁部と外縁部の長さよりも短い内縁部との間に配置されているため、アンテナ部および処理部の配置レイアウトの自由度を広げることができると共に、アンテナ部と太陽電池との間の容量結合によりアンテナ部の受信感度を高めることができる。
【００１２】
［適用例４］上記適用例に記載の携帯型電子機器において、前記受光面の法線方向と直交する方向からの断面視において、前記アンテナ部は、前記太陽電池と前記回路基板との間に配置されることが好ましい。
【００１３】
本適用例によれば、非導電部材に加え、回路基板も誘電体として見立てて、波長短縮効果を利用することができ、よりコンパクト（小型）なアンテナ部とすることができる。また、アンテナ部と回路基板との間の容量結合により、アンテナ部の受信感度を高めることができる。
【００１４】
［適用例５］上記適用例に記載の携帯型電子機器において、前記平面視で、前記非導電性部材の少なくとも一部は、前記太陽電池と重なることが好ましい。
【００１５】
本適用例によれば、平面視で、非導電部材の少なくとも一部が太陽電池と重なっていることから、非導電性部材と太陽電池との間の容量結合によりアンテナ部の受信感度を高めることができる。
【００１６】
［適用例６］上記適用例に記載の携帯型電子機器において、前記接続部は、前記導電体と前記処理部とを電気的に接続する接点であることが好ましい。
【００１７】
本適用例によれば、回路基板に支持された接続部（接点）により、処理部と別部材であるアンテナ部との電気的な接続を回路基板上でコンパクトに行うことができる。
【００１８】
［適用例７］上記適用例に記載の携帯型電子機器において、前記処理部と電気的に接続された表示部を備え、前記平面視で、前記表示部の外周端部は、前記太陽電池の前記外縁部と前記内縁部との間に配置されることが好ましい。
【００１９】
本適用例によれば、平面視で、太陽電池の外縁部と内縁部との間に表示部の外周端部が配置される、換言すれば表示部の外周端部が太陽電池と重なっていることにより、太陽電池と表示部との配置バランスを向上させることができる。これにより、表示部の面積を確保しつつ、より広い太陽電池の面積を確保することができる。
【００２０】
［適用例８］上記適用例に記載の携帯型電子機器において、前記平面視において、前記アンテナ部は、前記表示部の輪郭よりも外側に配置されることが好ましい。
【００２１】
本適用例によれば、アンテナ部をケースの外周側に配置することから、表示部や太陽電池などの配置レイアウトの自由度を広げることができ、表示部や太陽電池などを、より効果的に配置することができる。
【図面の簡単な説明】
【００２２】
【図１】携帯型電子機器としてのリスト機器を適用した運動支援システムの概要を示す概略構成図。
【図２】第１実施形態に係るリスト機器の概略構成を示す表側（表示面側）からの外観斜視図。
【図３】第１実施形態に係るリスト機器の概略構成を示す裏側からの外観斜視図。
【図４】第１実施形態に係るリスト機器の構成を示す断面図。
【図５】第１実施形態に係るリスト機器の構成を示す平面図。
【図６】第１実施形態に係るリスト機器の概略構成を示す機能ブロック図。
【図７】第１実施形態に係るリスト機器の構成要素の配置例１を示す部分断面図。
【図８】第１実施形態に係るリスト機器の構成要素の配置例２を示す部分断面図。
【図９】第２実施形態に係るリスト機器の構成を示す断面図。
【図１０】第２実施形態に係るリスト機器の構成を示す平面図。
【図１１】太陽電池およびＧＰＳアンテナの配置の変形例１を示す平面図。
【図１２】太陽電池およびＧＰＳアンテナの配置の変形例２を示す平面図。
【図１３】太陽電池およびＧＰＳアンテナの配置の変形例３を示す平面図。
【図１４】太陽電池およびＧＰＳアンテナの配置の変形例４を示す平面図。
【発明を実施するための形態】
【００２３】
以下、本発明に係るシステムの実施形態について説明する。なお、以下に説明する実施形態は、特許請求の範囲に記載された本発明の内容を不当に限定するものではない。また、各実施形態で説明される構成の全てが、本発明の必須構成要件であるとは限らない。
【００２４】
１．本実施形態の手法
先ず、本発明に係る携帯型電子機器を適用したシステムの一例としての運動支援システムについて説明する。以下では、携帯型電子機器の一例として、例えばユーザーの手首に装着される脈波センサーや体動センサーを備えたリスト機器（ウェアラブル機器）を例示して説明する。
【００２５】
運動支援システムに用いられる携帯型電子機器としてのリスト機器には、表示部側に太陽電池を備え、ユーザーの生体情報としての脈波情報を取得する脈波センサーやユーザーの動作情報を取得する体動センサーが備えられている。さらに、リスト機器には、ユーザーの位置情報を取得する全地球的航法衛星システム（GNSS：Global Navigation Satellite System）などと呼ばれる位置情報衛星を用いた位置測位システムの一例としてのＧＰＳ（Global Positioning System）が備えられている。なお、携帯型電子機器としては、リスト機器に限らず、頸部や足首等、ユーザーの他の部位に装着されるウェアラブル機器としてもよい。
【００２６】
生体情報測定部の一例としての脈波センサーは、脈拍数などの脈波情報を取得することが可能である。脈波センサーとしては、例えば光電センサー（光センサー）が用いられる。この場合には、生体に対して照射された光の反射光または透過光を当該光電センサーで検出する手法等が考えられる。血管内の血流量に応じて、照射された光の生体での吸収量、反射量が異なるため、光電センサーで検出したセンサー情報は血流量等に対応した信号となり、当該信号を解析することで拍動に関する情報を取得することができる。ただし、脈波センサーは光電センサーに限定されず、心電計や超音波センサー等、他のセンサーを用いてもよい。
【００２７】
なお、光電センサー（光センサー）は、必要な光を受光し、且つ不要な光を遮光する必要があり、脈波センサーの例であれば、測定の対象物である被検体（特に測定対象の血管が含まれる部位）で反射された脈波成分を含む反射光を受光し、それ以外の光はノイズ成分となるため遮光することが必要となる。
【００２８】
体動センサーは、ユーザーの体動を検出するセンサーである。体動センサーとしては、加速度センサーや角速度センサー、あるいは方位センサー（地磁気センサー）や圧力センサー（高度センサー）等を用いることが考えられるが、他のセンサーを用いてもよい。
【００２９】
ＧＰＳは、全地球測位システムとも呼ばれ、複数の衛星信号に基づいて地球上の現在位置を測定するための衛星測位システムである。ＧＰＳは、ＧＰＳ時刻情報と軌道情報とを使用して測位計算をおこないユーザーの位置情報を取得する機能、および時計機能における時刻修正機能を備えている。
【００３０】
２．運動支援システム
次に、図１を参照して、携帯型電子機器としてのリスト機器を適用した運動支援システムの構成について説明する。図１は、携帯型電子機器としてのリスト機器を適用した運動支援システムの概要を示す概略構成図である。
【００３１】
本実施形態に係る運動支援システム１００は、図１に示すように、生体センサー（光電センサー）としての脈波センサー、体動センサーとしての加速度センサー、およびＧＰＳなどが備えられた検出装置である携帯型電子機器としてのリスト機器２００と、運動支援装置としての携帯機器３００と、携帯機器３００とネットワークＮＥを介して接続される情報処理装置としてのサーバー４００と、を含む。
【００３２】
リスト機器２００に備えられた全地球的航法衛星システムとしてのＧＰＳは、ＧＰＳ衛星８からの電波（衛星信号）を受信して内部時刻を修正したり、測位計算を行い位置情報を取得したりする機能を備えている。ＧＰＳ衛星８は、地球の上空において、所定の軌道上を周回する位置情報衛星の一例であり、航法メッセージが重畳された高周波の電波を地上に送信している。以降の説明では、航法メッセージが重畳された電波を衛星信号という。
【００３３】
ＧＰＳ衛星８からの衛星信号には、極めて正確なＧＰＳ時刻情報、および時刻誤差を補正するための時刻補正パラメーターが含まれている。リスト機器２００は、一つのＧＰＳ衛星８から送信された衛星信号（電波）を受信し、その中に含まれるＧＰＳ時刻情報と時刻補正パラメーターとを使用して時刻情報を取得することができる。
【００３４】
また、衛星信号には、ＧＰＳ衛星８の軌道上の位置を示す軌道情報も含まれている。リスト機器２００は、ＧＰＳ時刻情報と軌道情報とを使用して測位計算を行うことができる。測位計算は、リスト機器２００の内部時刻にある程度の誤差が含まれていることを前提として行われる。すなわち、リスト機器２００の三次元の位置を特定するためのｘ，ｙ，ｚパラメーターに加えて時刻誤差も未知数になる。そのため、リスト機器２００は、例えば三つ以上のＧＰＳ衛星８からそれぞれ送信された衛星信号（電波）を受信し、その中に含まれるＧＰＳ時刻情報と軌道情報とを使用して測位計算を行い、現在地の位置情報を取得することができる。
【００３５】
運動支援装置としての携帯機器３００は、例えばスマートフォンやタブレット型の端末装置などで構成することができる。携帯機器３００は、光電センサーである生体センサーとしての脈波センサーや体動センサーとしての加速度センサーが用いられたリスト機器２００と、例えばBluetooth（登録商標）通信などを例示することができる近距離無線通信や有線通信（不図示）等によって接続されている。携帯機器３００は、リスト機器２００からの計測情報を受信し、処理されたユーザーの脈波情報や体動情報、もしくは位置情報などを報知することができる。ただし、携帯機器３００は、例えば、リスト機器２００に含まれている、後述する光電センサー部４０や体動センサー部１７０、もしくはＧＰＳ受信部１６０などを含むなど種々の変形実施が可能である。
【００３６】
なお、本実施形態におけるリスト機器２００および携帯機器３００は、Bluetoothの機能を有しており、携帯機器３００とリスト機器２００とは、Bluetooth通信は、例えばBluetooth Low Energy（Bluetooth 4.0 ともいう）によって接続されている。Bluetooth Low Energyは、省電力性が重視され、従来のバージョンに比べ大幅に省電力化することが可能となり、リスト機器の使用可能時間を長くすることが可能となる。
【００３７】
また、携帯機器３００は、ネットワークＮＥを介してＰＣ（Personal Computer）やサーバーシステム等のサーバー４００と接続されることができる。ここでのネットワークＮＥは、ＷＡＮ（Wide Area Network）、ＬＡＮ（Local Area Network）、携帯電話通信網、近距離無線通信等、種々のネットワークＮＥを利用できる。この場合、サーバー４００は、リスト機器２００で計測された脈波情報や体動情報や携帯機器３００で処理したデータを、携帯機器３００からネットワークＮＥを介して受信し、記憶する処理記憶部として実現される。
【００３８】
なお、上述のような実施形態においては、リスト機器２００は、携帯機器３００との通信が可能であればよく、直接的にネットワークＮＥに接続する必要がない。よって、リスト機器２００の構成を簡略化することが可能になる。ただし、運動支援システム１００において、携帯機器３００を省略し、リスト機器２００とサーバー４００を直接接続する変形実施も可能である。この場合、リスト機器２００は、携帯機器３００に含まれている計測情報を処理する機能、および計測情報をサーバー４００に送信したりサーバー４００からの情報を受付けたりする機能を備える。
【００３９】
また、運動支援システム１００は、サーバー４００を含む構成により実現されるものには限定されない。例えば、運動支援システム１００で実施される処理や機能は、携帯機器３００により実現されてもよい。例えばスマートフォン等の携帯機器３００は、サーバーシステムに比べれば処理性能や記憶領域、バッテリー容量に制約があることが多いが、近年の性能向上を考慮すれば、十分な処理性能等を確保可能となることも考えられる。よって、処理性能等の要求が満たされるのであれば、携帯機器３００単独で本実施形態に係る運動支援システム１００で実施される処理や機能を実現することが可能である。
【００４０】
また、本実施形態に係る運動支援システム１００は、三つの装置により実現するものには限定されない。例えば、運動支援システム１００は、リスト機器２００、携帯機器３００、およびサーバー４００のうちの２以上の装置を含んでもよい。この場合、運動支援システム１００で実行される処理は、いずれか一つの機器において実行されてもよいし、複数の機器で分散処理されてもよい。また、本実施形態に係る運動支援システム１００が、リスト機器２００、携帯機器３００、およびサーバー４００とは異なる機器を含むことも妨げられない。さらに、端末性能の向上、あるいは利用形態等を考慮した場合、リスト機器２００により、本実施形態に係る運動支援システム１００を実現する実施形態とすることができる。
【００４１】
また、本実施形態の運動支援システム１００は、情報（例えばプログラムや各種のデータ）を記憶するメモリーと、メモリーに記憶された情報に基づいて動作するプロセッサーを含む。プロセッサーは、例えば各部の機能が個別のハードウェアで実現されてもよいし、あるいは各部の機能が一体のハードウェアで実現されてもよい。プロセッサーは、例えばＣＰＵ（Central Processing Unit）であってもよい。ただしプロセッサーはＣＰＵに限定されるものではなく、ＧＰＵ（Graphics Processing Unit）、あるいはＤＳＰ（Digital Signal Processor）等、各種のプロセッサーを用いることが可能である。またプロセッサーはＡＳＩＣによるハードウェア回路でもよい。メモリーは、例えばＳＲＡＭ（Static Random Access Memory）、ＤＲＡＭ（Dynamic Random Access Memory）などの半導体メモリーであってもよいし、レジスターであってもよいし、ハードディスク装置等の磁気記憶装置であってもよいし、光学ディスク装置等の光学式記憶装置であってもよい。例えば、メモリーはコンピューターにより読み取り可能な命令を格納しており、当該命令がプロセッサーにより実行されることで、運動支援システム１００の各部の機能が実現されることになる。ここでの命令は、プログラムを構成する命令でもよいし、プロセッサーのハードウェア回路に対して動作を指示する命令であってもよい。
【００４２】
３．第１実施形態に係るリスト機器
次に、図２、図３、図４、図５、図６、図７、および図８を参照して、携帯型電子機器としてのリスト機器（測定機器）の第１実施形態に係る構成について説明する。図２は、第１実施形態に係るリスト機器の概略構成を示す表側（表示面側）からの外観斜視図である。図３は、第１実施形態に係るリスト機器の概略構成を示す裏側からの外観斜視図である。図４は、第１実施形態に係るリスト機器の構成を示す断面図である。図５は、第１実施形態に係るリスト機器の構成を示す平面図である。図６は、第１実施形態に係るリスト機器の概略構成を示す機能ブロック図である。図７は、第１実施形態に係るリスト機器の構成要素の配置例１を示す部分断面図である。図８は、第１実施形態に係るリスト機器の構成要素の配置例２を示す部分断面図である。
【００４３】
なお、以下の第１実施形態に係るリスト機器２００の説明では、機器本体３０をユーザーに装着したとき、生体情報などの測定の対象部位となる対象物側に位置する側を「裏側、もしくは裏面側」、その反対側となる機器本体３０の表示面側を「表側、もしくは表面側」として説明する。また、測定される「対象物（対象部位）」を「被検体」ということがある。また、リスト機器２００のケース３１を基準として座標系を設定し、表示部５０の表示面の中心を原点とし、表示部５０の表示面に交差する方向であって、表示部５０の表示面側を表面とした場合の裏面から表面へと向かう方向をＺ軸正方向（＋Ｚ軸方向）としている。あるいは、光電センサー部４０から表示部５０に向かう方向、あるいは、太陽電池８０を構成するパネルの受光面８０ａ，８０ｂ，８０ｃ，８０ｄの法線方向においてケース３１から離れる方向をＺ軸正方向と定義してもよい。リスト機器２００が被検体に装着された状態では、上記Ｚ軸正方向とは、被検体からケース３１へと向かう方向に相当する。また、Ｚ軸に直交する２軸をＸＹ軸とし、特にケース３１に対してバンド部１０が取り付けられる方向をＹ軸に設定している。なお、受光面８０ａ，８０ｂ，８０ｃ，８０ｄは、太陽電池８０に光が入射する面である。
【００４４】
図２は、バンド部１０が固定された状態であるリスト機器２００を、装着状態において被検体側となる裏側と反対側となる表側（表示部５０側）となる方向である＋Ｚ軸方向から見た斜視図である。また、図３は、図２と反対側となる裏側である−Ｚ軸方向から見た斜視図である。また、図４は、＋Ｙ軸方向から見たときの断面図である。また、図５は、＋Ｚ軸方向から見たときの平面図である。
【００４５】
携帯型電子機器としてのリスト機器２００は、図２、図３、および図４に示すように、ユーザーの所与の部位（例えば手首などの測定の対象部位）に装着され、脈波情報や体動情報、および位置情報等を検出する。リスト機器２００は、ケース３１を含みユーザーに密着されて脈波情報や体動情報等を検出する機器本体３０と、機器本体３０に取り付けられ機器本体３０をユーザーに装着するための一対のバンド部１０と、を有する。
【００４６】
ケース３１を含む機器本体３０には、表示部５０、表示部５０の外縁部に配置された＋Ｚ軸方向に向くパネルの受光面８０ａ，８０ｂ，８０ｃ，８０ｄを含む環状の太陽電池８０、および生体情報測定部としての光電センサー部４０（図４参照）に対応する測定窓部４５が設けられている。なお、＋Ｚ軸方向（受光面８０ａ，８０ｂ，８０ｃ，８０ｄの法線方向）からの平面視で表示部５０と太陽電池８０の一部とが重なるように配置されてもよい。また、機器本体３０の外側面には複数の操作部（操作ボタン）５８が設けられ、表示部５０の外縁を環状に囲むように配置されたベゼル５７が設けられている。但し、リスト機器２００は、このような構成に限定されず、これらの一部の構成要素を省略したり、他の構成要素を追加したりするなどの種々の変形実施が可能である。
【００４７】
機器本体３０は、表側に開口した開口部３１ｓを備えたケース３１を有する。ケース３１の裏側には、ケース３１の裏側の面である裏面から突出する凸状部３２の頂部に光電センサー部４０の測定窓部４５が設けられている。そして、＋Ｚ軸方向からの平面視において測定窓部４５に対応する位置に生体情報測定部としての光電センサー部４０が配置され、透明カバー４４が測定窓部４５に挿入されている。なお、透明カバー４４は、凸状部３２の頂部から突出してもよい。また、＋Ｚ軸方向から見た平面視で、測定窓部４５は、太陽電池８０と重ならない位置に配置されていることが好ましい。このように、光電センサー部４０の測定窓部４５が太陽電池８０と重ならない位置に配置されていることから、ケース３１の外周縁から光電センサー部４０までの距離が長くなって外光が届き難くなり、測定窓部４５への外光の侵入を抑制することができ、光電センサー部４０の検出精度の低下を防止することができる。
【００４８】
なお、ケース３１は、例えばステンレススチールなどの金属、もしくは樹脂などによって形成することができる。なお、ケース３１の構成は、一体に限らず複数の部位に分割した構成、例えば、ユーザーへの装着側に裏蓋が設けられている二体構造のケース３１としてもよい。
【００４９】
機器本体３０には、機器本体３０の表側に位置するケース３１の開口部３１ｓの外縁に＋Ｚ軸方向に突出して立設された突起部３４の外周側に、ベゼル５７が設けられるとともに、このベゼル５７の内側に内部構造を保護する天板部分としての透明板である風防板（本例ではガラス板）５５が設けられる。風防板５５は、太陽電池８０の受光面８０ａ，８０ｂ，８０ｃ，８０ｄに正対する方向、換言すれば＋Ｚ軸方向から見た平面視で、ケース３１の開口を塞ぐように配置されている。風防板５５は、パッキンや接着剤などの接合部材５６によってケース３１の突起部３４の内縁側に取り付けられている。そして、ケース３１とケース３１の開口を塞ぐ風防板５５とに囲まれたケース３１の内側に、閉空間である内部空間３６が設けられる。
【００５０】
なお、風防板５５は、ガラス板に限らず、表示部５０を閲覧可能な透光性部材であり、表示部５０を構成する液晶ディスプレイ（表示パネル６０）など、内部空間３６に収容される要素部品を保護可能な程度の強度を有する部材であれば、透明のプラスチックなど、ガラス以外の材料とすることができる。
【００５１】
そして、ケース３１内の内部空間３６に、図４に示すように、リスト機器２００を構成する要素部品である、例えば回路基板２０、体動センサー部１７０（図６参照）に含まれるセンサーとしての方位センサー２２や加速度センサー２３、アンテナ部としてのＧＰＳアンテナ２８、光電センサー部４０、表示部５０を構成する液晶ディスプレイ（以下、表示パネル６０）、表示パネル６０の照明部６１、二次電池７０（リチウム二次電池）、および太陽電池８０などが収納されている。ただし、機器本体３０は、図４に示す構成に限定されず、例えば標高などを算出するための気圧センサーや温度を測定するための気温センサーなどの他のセンサーやバイブレータなどを追加してもよい。また、回路基板２０には、上述した要素部品との接続配線、リスト機器２００を構成する各センサーや表示部５０などを制御する制御回路や駆動回路などを含む制御回路を含む処理部としてのＣＰＵ（Central Processing Unit）２１、および他の回路素子２４が接続されている。なお、処理部としてのＣＰＵ２１は、各センサー、例えば光電センサー部４０や加速度センサー２３と電気的に接続され、それぞれのセンサーの検出した信号を処理することができる。また、ＣＰＵ２１は、表示部５０を構成する表示パネル６０と電気的に接続され、表示パネル６０の表示を制御することができる。また、回路基板２０には、方位センサー２２や加速度センサー２３が接続されてもよい。
【００５２】
内部空間３６に配置されたリスト機器２００を構成する要素部品のうち、回路基板２０、光電センサー部４０、表示パネル６０、二次電池７０、および太陽電池８０は、風防板５５側から−Ｚ軸方向に向かって、太陽電池８０、表示パネル６０、回路基板２０、二次電池７０、光電センサー部４０の順に配置されている。なお、太陽電池８０は、表示部５０の少なくとも一部を覆うように配置されている。
【００５３】
このように、ケース３１内において、太陽電池８０と回路基板２０との間に、表示部５０を構成する表示パネル６０が配置されることにより、ユーザーは、回路基板２０に遮られることなく表示部５０の表示を容易に視認することができる。
【００５４】
また、＋Ｚ軸方向から見た平面視で、ＣＰＵ２１と電気的に接続された表示パネル６０の外周端部は、後述にて説明する太陽電池８０の円周状の外縁部である外周８０ｏｓと内縁部である円周状の内周８０ｉｓとの間に配置されることが好ましい。このように、＋Ｚ軸方向から見た平面視で、太陽電池８０の外周８０ｏｓと内周８０ｉｓとの間に表示パネル６０の外周端部が配置される、換言すれば、表示パネル６０の外周端部が太陽電池８０と重なっていることにより、太陽電池８０と表示部５０（表示パネル６０）との配置バランスを向上させることができ、表示部５０の面積を確保しつつ、より広い太陽電池８０の面積を確保することができる。さらに、表示部５０の端部を太陽電池８０で覆うように配置することで、表示部５０の端部を隠すことができるので審美性を向上させることができる。
【００５５】
また、ケース３１内において、太陽電池８０と光電センサー部４０との間に表示部５０を構成する表示パネル６０が配置されることにより、発電のために太陽電池８０に向かって入射する光が、隙間などから侵入する洩れ光となって太陽電池８０側からケース３１内に侵入した、所謂迷光を表示パネル６０によって遮光することができ、光電センサー部４０に対する外光（迷光）の影響を減少させることができる。
【００５６】
また、ケース３１内において、表示部５０と、光電センサー部４０との間に二次電池７０が配置されることにより、発電のために入射する光が、太陽電池８０側からケース３１内に侵入した迷光を、二次電池７０によって遮光することができ、光電センサー部４０に対する外光の影響を減少させることができる。
【００５７】
測位衛星信号を受信するアンテナ部としてのＧＰＳアンテナ２８は、非導電性部材としての、例えば樹脂部材で構成されたベース２６と、ベース２６の風防板５５側（＋Ｚ軸方向）に位置する表面に設けられた、例えば銅、銅合金、アルミ、アルミ合金などの金属で構成される導電体２７とを含む。ベース２６は、図５に示すように、１２時方向（＋Ｙ軸方向）のケース３１の開口部３１ｓの内周に沿って湾曲して配置され、太陽電池８０の受光面８０ａ，８０ｂ，８０ｃ，８０ｄの法線方向（＋Ｚ軸方向）からの平面視において、太陽電池８０と重なるように配置される。ＧＰＳアンテナ２８は、非導電性のベース２６を誘電体として見立てて、ベース２６（誘電体）による波長短縮効果を利用することによりアンテナが構成される。このようなアンテナは、ベース２６とベース２６の表面に設けられた導電体２７とによってコンパクトに構成することができるため、ＧＰＳアンテナ２８を小型化することができる。
【００５８】
なお、ＧＰＳアンテナ２８は、＋Ｚ軸方向から見た平面視で、表示部５０の輪郭、換言すれば、後述する太陽電池８０の内周８０ｉｓよりも外側（ケース３１の外周側）に配置されることが好ましい。このように、ＧＰＳアンテナ２８をケース３１の外周側に配置すれば、表示部５０や太陽電池８０などの配置レイアウトの自由度を広げることができ、表示部５０や太陽電池８０などを、より効果的に配置することができる。
【００５９】
また、＋Ｚ軸方向から見た平面視で、ベース２６の少なくとも一部は、太陽電池８０（受光面８０ａ，８０ｂ，８０ｃ，８０ｄ）と重なって配置されることが好ましい。このような配置とすることにより、ベース２６と太陽電池８０との間の容量結合によりＧＰＳアンテナ２８の受信感度を高めることができる。
【００６０】
また、太陽電池８０の受光面８０ａ，８０ｂ，８０ｃ，８０ｄの法線方向（＋Ｚ軸方向）と直交する方向（Ｘ軸方向）からの断面視において、ＧＰＳアンテナ２８は、太陽電池８０と回路基板２０との間に配置されることが好ましい。このように配置すれば、ベース２６に加え、回路基板２０も誘電体として見立てて、波長短縮効果を利用することができ、よりコンパクト（小型）なＧＰＳアンテナ２８とすることができる。また、ＧＰＳアンテナ２８と回路基板２０との間の容量結合により、ＧＰＳアンテナ２８の受信感度を高めることができる。
【００６１】
また、ＧＰＳアンテナ２８は、導電体２７において回路基板２０に支持された接点である接続部２５を介して、回路基板２０に支持された処理部としてのＣＰＵ２１と電気的に接続されている。このような接続により、ＣＰＵ２１と別部材であるＧＰＳアンテナ２８との電気的な接続を回路基板２０上でコンパクトに行うことができる。そして、接点である接続部２５は、＋Ｚ軸方向からの平面視で、太陽電池８０と重なって配置されていることが好ましい。このように、＋Ｚ軸方向からの平面視で、接続部２５が太陽電池８０と重なって配置されることにより、ＧＰＳアンテナ２８とＣＰＵ２１との配置レイアウトの自由度を広げ、且つコンパクトな配置とすることができる。また、ＧＰＳアンテナ２８の受信感度に影響させることなく太陽電池８０の受光面積を大きくすることができ、太陽電池８０の発電量を増大させることができる。
【００６２】
また、導電体２７は、ベース２６の風防板５５側（＋Ｚ軸方向）に位置する表面の全面に設けられている必要は無く、表面の少なくとも一部に設けられればよい。また、導電体２７は、ベース２６の風防板５５側（＋Ｚ軸方向）に位置する表面に加えて、側面、もしくは裏面に設けられていてもよい。
【００６３】
また、図７に示すように、回路基板２０、光電センサー部４０、および太陽電池８０は、＋Ｚ軸方向（受光面８０ａ，８０ｂ，８０ｃ，８０ｄの法線方向）と直交する方向である−Ｙ軸方向からの断面視で、回路基板２０と光電センサー部４０との距離Ｌ１（回路基板２０と光電センサー部４０との最短距離）よりも、回路基板２０と太陽電池８０との距離Ｌ２（回路基板２０と太陽電池８０との最短距離）の方が長くなるような配置とすることが好ましい。このように、回路基板２０と太陽電池８０との距離Ｌ２を長くすれば、回路基板２０もしくは他の構成要素の発熱の影響を太陽電池８０が受け難くなる。即ち、太陽電池８０の昇温を抑制することができ、太陽電池８０における発電効率の低下を抑制することができる。
【００６４】
また、図８に示すように、回路基板２０、光電センサー部４０、および太陽電池８０は、＋Ｚ軸方向（受光面８０ａ，８０ｂ，８０ｃ，８０ｄの法線方向）と直交する方向である−Ｙ軸方向からの断面視で、回路基板２０と光電センサー部４０との距離Ｌ１（回路基板２０と光電センサー部４０との最短距離）よりも、回路基板２０と太陽電池８０との距離Ｌ２（回路基板２０と太陽電池８０との最短距離）の方が短くなるように配置することとしてもよい。このように、回路基板２０と太陽電池８０との距離Ｌ２を短くすれば、太陽電池８０で発電した電力の送電ロスを抑制し、充電効率を高めることができる。
【００６５】
また、ケース３１内において、太陽電池８０と光電センサー部４０との間に回路基板２０が配置されることにより、発電のために太陽電池８０に向かって入射する光が、隙間などから侵入する洩れ光となって太陽電池８０側からケース３１内に侵入した、所謂迷光を回路基板２０によって遮光することができ、光電センサー部４０に対する外光（迷光）の影響を減少させることができる。
【００６６】
以下、図６に示す機能ブロック図も併せて参照しながら、第１実施形態に係るリスト機器２００の要素部品について、さらに説明する。
【００６７】
回路基板２０は、表面２０ｆ（第１面）と、表面２０ｆと異なる面であり表面２０ｆの反対側の面となる裏面２０ｒ（第２面）とを含み、外周側の端部が回路固定部である回路ケース７５に取り付けられ、回路ケース７５を介してケース３１の内側に支持されている。回路基板２０の表面２０ｆには、体動センサー部１７０に含まれるセンサーとしての方位センサー２２や加速度センサー２３、および制御回路としてのＣＰＵ２１などが実装され、裏面２０ｒには、他の回路素子２４などが実装され、それぞれが電気的に接続されている。このように、回路基板２０がその外周側でケース３１に支持されているため、回路基板２０に接続されている加速度センサー２３にはケース３１からの振動が伝わり易く、加速度センサー２３によるタッピング検知などの検知精度をより高めることができる。また、回路基板２０の表面２０ｆの端部には、ＧＰＳアンテナ２８とＣＰＵ２１とを電気的に接続する接点である接続部２５が支持（接続）されている。
【００６８】
そして、表示パネル６０および太陽電池８０は、それぞれフレキシブル基板などで構成される接続配線部６３、および接続配線部８１を介して回路基板２０の表面２０ｆに接続されている。また、光電センサー部４０は、フレキシブル基板などで構成される接続配線部４６を介して表面２０ｆの反対側の面である回路基板２０の裏面２０ｒに電気的に接続されている。このような配置とすることにより、接続のための配線の引き回しを最小限とすることができるとともに、発電のために入射する光が太陽電池８０側から洩れ光となってケース内に侵入した迷光を、回路基板２０によって遮光することができ、光電センサー部４０に対する外光の影響を減少させることができる。なお、回路ケース７５は、二次電池７０などを案内することができる。
【００６９】
体動センサー部１７０に含まれる方位センサー（地磁気センサー）２２や加速度センサー２３は、ユーザーの体の動きに係る情報の検出、即ち体動情報を検出することができる。方位センサー（地磁気センサー）２２や加速度センサー２３は、ユーザーの移動や方向転換などの体動に応じて変化する信号である体動検出信号を出力し、制御回路を含む処理部としてのＣＰＵ２１に送信する。なお、加速度センサー２３は、ユーザーの移動などの動作に係る検知に加え、例えばユーザーが指先でケース３１の外周部分もしくは風防板５５などを叩く動作によってケース３１に軽衝撃を加えて操作の意思表示を行う、所謂タッピング動作による検知を行うこともできる。
【００７０】
また、加速度センサー２３は、図５に示すように、＋Ｚ軸方向からの平面視で、少なくとも一部が太陽電池８０と重なる位置に配置されていることが好ましい。換言すれば、加速度センサー２３は、即ち回路基板２０の外周側、換言すればケース内壁（内周）に近い位置に実装されていることが好ましい。あるいは、図４に示すように、加速度センサー２３の中心と回路基板２０の中心との距離よりも、回路ケース７５が回路基板２０と接触する部位と加速度センサー２３の中心との距離が短い位置に配置されることが好ましい。このように、加速度センサー２３を配置することにより、ケース３１の受けたタッピング動作などの衝撃が、外周側でケース３１に支持されている回路基板２０を介して加速度センサー２３に伝搬し易くなり、加速度センサー２３による検知精度をより高めることができる。
【００７１】
処理部としてのＣＰＵ２１は、ＧＰＳアンテナ２８を含むＧＰＳ受信部１６０を制御する回路、光電センサー部４０を駆動し脈波を測定する回路、表示部５０（表示パネル６０）を駆動する回路、体動センサー部１７０を駆動し、検出した信号を処理して体動情報として取得する回路、および太陽電池８０における発電回路、を制御する制御回路などを構成する。そして、ＣＰＵ２１は、それぞれの部位で検出された脈波情報や体動情報、またはユーザーの位置情報などを、必要に応じて通信部２９に送信する。
【００７２】
ＧＰＳアンテナ２８は、ＧＰＳ受信部１６０に信号処理部６６とともに含まれ、複数の衛星信号を受信する。信号処理部６６は、ＧＰＳアンテナ２８が受信した複数の衛星信号に基づいて測位計算を行い、ユーザーの位置情報として取得する。
【００７３】
通信部２９は、ＣＰＵ２１から送信された脈波情報や体動情報、もしくはユーザーの位置情報を、必要に応じて携帯機器３００などに送信する。
【００７４】
生体情報測定部としての光電センサー部４０は、脈波等を検出するものであり、受光部４１、および受光部４１の両側、換言すれば、平面視で受光部４１よりも外側（ケース３１の外周側）に配置された複数（本形態では二つ）の発光部４２を含む。このように、発光部４２よりも内側に受光部４１を配置することにより、ケース３１の外周側から侵入する外光の受光部４１への侵入を抑制することができ、光電センサー部４０に対する外光の影響を減少させることができる。なお、発光部４２は、二つに限らず、一つ、もしくは三つ以上であってもよい。受光部４１、および二つの発光部４２は、センサー基板４３の一方面に取り付けられており、例えば光硬化性樹脂などで構成され、光を透過する部材で構成された透明カバー４４で覆われている。透明カバー４４は、受光部４１、および二つの発光部４２に対応する領域を含む部分がケース３１に設けられた測定窓部４５に挿入されている。なお、透明カバー４４は、ケース３１の凸状部３２の頂部から突出してもよい。
【００７５】
光電センサー部４０は、前述したように発光部４２から射出された光が被検体（測定の対象物）に対して照射され、その反射光が受光部４１で受光されることによって脈波情報を検出することができる。光電センサー部４０は、発光部４２および受光部４１を含む脈波センサーにより検出された信号を、脈波検出信号として出力する。光電センサー部４０としては、例えば光電センサーが用いられる。この場合には、生体（ユーザーの手首）に対して、発光部４２から照射された光の反射光または透過光を、受光部４１によって検出する手法等が考えられる。このような手法では、血管内の血流量に応じて、照射された光の生体での吸収量、反射量が異なるため、光電センサーで検出したセンサー情報は血流量等に対応した信号となり、当該信号を解析することで拍動に関する情報を取得することができる。ただし、脈波センサーは光電センサーに限定されず、心電計や超音波センサー等、他のセンサーを用いてもよい。
【００７６】
また、光電センサー部４０は、図５に示すように、太陽電池８０の受光面８０ａ，８０ｂ，８０ｃ，８０ｄに正対する方向（＋Ｚ軸方向）から見た平面視で、環状に形成された太陽電池８０に重ならない位置に配置されている。換言すれば、太陽電池８０は、＋Ｚ軸方向から見た平面視で、光電センサー部４０の外縁より外側に配置され、太陽電池８０と光電センサー部４０とが重ならない位置に配置されている。さらに換言すれば、＋Ｚ軸方向から見た平面視でベゼル５７と光電センサー部４０との間に太陽電池８０が配置されている。ここで、光電センサー部４０の外縁とは、好ましくは、少なくとも受光部４１、および二つの発光部４２の外縁を含むと共に、それぞれの外縁が結ばれた、図５中に斜めハッチングで示された領域の外縁である。なお、本実施形態では、受光部４１、および二つの発光部４２が含まれる測定窓部４５の外縁を、光電センサー部４０の外縁とすることができる。また、センサー基板４３の外縁を、光電センサー部４０の外縁としてもよい。また、透明カバー４４の外縁を、光電センサー部４０の外縁としてもよい。
【００７７】
このように、＋Ｚ軸方向からの平面視で、環状に配置された太陽電池８０が光電センサー部４０を囲むように、光電センサー部４０の外縁より外側に配置されている、換言すれば、平面視で光電センサー部４０がケース３１の中心部に配置される、あるいは光電センサー部４０からケース３１の内壁（内周）までの距離は、太陽電池の外周８０ｏｓからケース３１の内壁（内周）までの距離よりも長いことになり、光電センサー部４０における外光（洩れ光）の影響を抑制することができる。これにより、光電センサー部４０の検出精度を低下させることなく、太陽電池８０を配置することができるので、光電センサー部４０による生体情報の検出精度と太陽電池８０による効率的な発電とを両立することができる。また、平面視で太陽電池８０が光電センサー部４０の外縁より外側に配置されているため、太陽電池８０での発電を効率よく行いながら光電センサー部４０の検知を行い易くするための配置バランスが向上し、リスト機器２００の機器本体３０のユーザーへの装着性を向上させることができる。また、透明カバー４４の外縁を、光電センサー部４０の外縁としてもよい。なお、上述の「重ならない」とは、＋Ｚ軸方向から見た平面視で太陽電池８０と光電センサー部４０とが重なる面積をＳとするとＳ＝０となる状態を指す。また、光電センサー部４０が太陽電池８０に囲まれているとは、複数の太陽電池８０により光電センサー部４０が囲まれている場合も含むことができ、太陽電池８０が分割されている場合や切り込みが有ってもよい。ここで、＋Ｚ軸方向からの平面視で光電センサー部４０の重心に対して同心円を引いたとき、同心円の円周に対して同心円と太陽電池８０とが重なる割合が５割以上の場合を「囲まれている」と定義することもできる。
【００７８】
また、光電センサー部４０の少なくとも一部が、図５に示すように、＋Ｚ軸方向から見た平面視で、太陽電池８０の重心Ｇと重なるように配置されていることが好ましい。このような光電センサー部４０および太陽電池８０の配置により、機器本体３０のバランス（重心位置）が良好となり、ユーザーへの装着性を向上させることができる。なお、重心Ｇは、質量中心と言い換えることができ、立体物の場合は立体物の構造内に定義される場合や、空間に定義される場合がある。また、重心と重なるとは、所定の方向から見た場合に、重心の位置を２次元的な平面や所定の対象物に投映したときに重なる状態と定義する事ができる。
【００７９】
表示部５０は、風防板５５を介して、環状に配置された太陽電池８０の内周８０ｉｓよりも中心側の領域に設けられる。表示部５０は、風防板５５を介して、風防板５５の直下に設けられる表示パネル６０等の表示体に表示される数字やアイコン、もしくは時刻表示用指針などの表示をユーザーが視認可能な構成とする。つまり本実施形態では、検出した生体情報や運動状態を表す情報、あるいは時刻情報等の種々の情報を表示パネル６０を用いて表示し、当該表示を表側（＋Ｚ軸方向）からユーザーに提示する。なお、表示体としては、液晶ディスプレイである表示パネル６０に替えて、有機ＥＬ（Organic Electro Luminescence）ディスプレイ、電気泳動ディスプレイ（ＥＰＤ：Electrophoretic Display）、ＬＥＤ（Light Emitting Diode）ディスプレイなどを用いることができる。
【００８０】
照明部６１は、表示パネル６０のバックライトとして機能する。照明部６１は、回路基板２０の表面２０ｆ（第１面）に接続されている。照明部６１が、このように回路基板２０に接続されることにより、接続のための配線の引き回しを最小限とすることができるとともに、照明部６１から射出される光が回路基板２０によって遮光され、光電センサー部４０に対する迷光の影響を減少させることができる。
【００８１】
二次電池７０は、両極の端子が接続基板（不図示）などによって回路基板２０に接続され、電源を制御する回路へ電源を供給する。また、二次電池７０は、回路基板２０を介して太陽電池８０と電気的に接続されている。電源は、この回路で所定の電圧に変換されるなどして各回路へ供給され、光電センサー部４０を駆動し脈拍を検出する回路、表示パネル６０を駆動する回路、各回路を制御する制御回路（ＣＰＵ２１）などを動作させる。二次電池７０への充電は、コイルばねなどの導通部材（不図示）により回路基板２０と導通された一対の充電端子を介して行われたり、太陽電池８０によって発電された電力を用いて行われたりする。
【００８２】
また、二次電池７０は、＋Ｚ軸方向からの平面視で、太陽電池８０と重ならない位置に配置されていることが好ましい。このように、＋Ｚ軸方向からの平面視で、二次電池７０が太陽電池８０と重ならない位置に配置されることにより、二次電池７０の充電において生じる発熱の影響を太陽電池８０が受け難くなり、太陽電池８０の昇温を抑制することができることから、太陽電池８０における発電効率を高めることができる。
【００８３】
太陽電池（Solar cell）８０は、光起電力効果を利用し、太陽光などの外光の光エネルギーを電力に変換して発電する。本実施形態の太陽電池８０は、風防板５５と表示パネル６０との間にあって、四つのパネルに分割されて配置され、それぞれのパネルの受光面８０ａ，８０ｂ，８０ｃ，８０ｄが、＋Ｚ軸方向に向くように配置されている。太陽電池８０は、表示パネル６０の外縁を含む外周部（表示部５０の外縁部）、換言すればケース３１の外周側に位置し、中央部が貫通孔となった、所謂環状（リング状）をなして構成されている。
【００８４】
具体的に、太陽電池８０は、図５に示すように、ケース３１の開口部３１ｓ側に位置し、開口部３１ｓの内周長よりも短い円周状の外縁部である外周８０ｏｓ、外周８０ｏｓよりも周長が短い内縁部である円周状の内周８０ｉｓ、および外周８０ｏｓと内周８０ｉｓとを両側で結ぶ二つの側辺８０ｓｓを有し、表示パネル６０の外周部に配置されている。すなわち、受光面８０ａ，８０ｂ，８０ｃ，８０ｄを有するそれぞれのパネルにおいても、外周よりも周長が短い内周を有している。なお、＋Ｚ軸方向からの平面視において、太陽電池８０の同心円で半径が短い方が内周であり、半径が長い方が外周であると言い換えてもよい。本構成での太陽電池８０では、このような受光面８０ａ，８０ｂ，８０ｃ，８０ｄを有する四つのパネルを、ケース３１の開口部３１ｓの内周に沿って配置することによって構成されている。また、太陽電池８０を構成する四つのパネルの外周８０ｏｓおよび内周８０ｉｓを加算して、太陽電池８０の外周長および内周長としてもよい。このような環状の太陽電池８０の配置により、表示部５０の表示エリアを効率よく配置することができるなど、リスト機器２００のデザイン性を高めることができる。
【００８５】
なお、本構成では、四つのパネルを用いた環状の太陽電池８０を例示しているが、太陽電池８０は、一体のパネルで構成されてもよい。また、太陽電池８０が複数のパネルで構成される場合のパネルの数量は問わない。また、太陽電池８０はパネルでなくフィルムで構成されても良い。
【００８６】
また、ＧＰＳアンテナ２８と回路基板２０に支持されたＣＰＵ２１とを電気的に接続する接点である接続部２５の少なくとも一部が、外縁部である外周８０ｏｓと内縁部である内周８０ｉｓとの間に配置されることが好ましい。このような接続部２５の配置により、ＧＰＳアンテナ２８および処理部としてのＣＰＵ２１の配置レイアウトの自由度を広げることができると共に、ＧＰＳアンテナ２８と太陽電池８０との間の容量結合によりＧＰＳアンテナ２８の受信感度を高めることができる。
【００８７】
また、太陽電池８０を構成するパネルの形状は、表示部５０の視認性を損ねたり、デザイン性を損ねたりしなければ、問わない。例えば、それぞれのパネルの外周辺が、開口部３１ｓの内周に沿った位置で二等分された直線で構成され、四つのパネル全体としては外周辺が開口部３１ｓの内周に沿った位置で八等分された直線で構成されたり、それぞれのパネルの外周辺が開口部３１ｓの内周に沿った位置で三等分された直線で構成され、四つのパネル全体としては外周辺が開口部３１ｓの内周に沿った位置で十二等分された直線で構成されたりするなどとしてもよい。または、パネルの内周を二等分したり三等分したりすることも可能である。また、内周および外周を二等分したり三等分したりすることも可能である。また、直線状の外周または内周のあるパネルとないパネルを組み合わせて用いることもできる。
【００８８】
記憶部１８０は、ＣＰＵ２１の制御によって、光電センサー部４０による脈波等の生体情報、ＧＰＳ受信部１６０による位置情報、および体動センサー部１７０による体動情報などを記憶する。
【００８９】
上述した携帯型電子機器の第１実施形態に係るリスト機器２００によれば、非導電性部材としてのベース２６を誘電体として見立てて、ベース２６による波長短縮効果を利用することにより、ベース２６とベース２６の表面に設けられた導電体２７とによってコンパクトに構成された小型のＧＰＳアンテナ２８を適用している。そして、回路基板２０に支持された処理部としてのＣＰＵ２１の取得する測位のための信号に係る衛星信号を受信するＧＰＳアンテナ２８のベース２６の少なくとも一部が、＋Ｚ軸方向からの平面視で、太陽電池８０と重なって配置されていることから、小型の携帯型電子機器としてのリスト機器２００においても、太陽電池８０およびＧＰＳアンテナ２８などの要素部品をケース３１内に収容することが可能となる。
【００９０】
また、＋Ｚ軸方向からの平面視で、ＧＰＳアンテナ２８とＣＰＵ２１とを電気的に接続している接続部２５（接点）が、太陽電池８０と重なって配置されることにより、ＧＰＳアンテナ２８とＣＰＵ２１との配置レイアウトの自由度を広げ、且つコンパクトな配置とすることができる。また、ＧＰＳアンテナ２８の受信感度に影響させることなく太陽電池８０の受光面積を大きくすることができ、太陽電池８０の発電量を増大させることができる。
【００９１】
４．第２実施形態に係るリスト機器
次に、図９を参照して、携帯型電子機器としてのリスト機器（測定機器）の第２実施形態に係る構成について説明する。図９は、第２実施形態に係るリスト機器の構成を示す断面図である。図１０は、第２実施形態に係るリスト機器の構成を示す平面図である。なお、第２実施形態に係る以下の説明では、上述の第１実施形態と異なる構成を中心に説明し、同様な構成については各図面において同符号を付し、その説明を省略することがある。
【００９２】
図９および図１０に示す第２実施形態のリスト機器２００Ａは、ＧＰＳアンテナ２８Ａの構成および配置が前述した第１実施形態のリスト機器２００と異なり、それに伴って回路基板２０Ａの支持構成が第１実施形態と異なる。それ以外の構成は、前述した第１実施形態のリスト機器２００と同様である。以下、異なる構成ＧＰＳアンテナ２８Ａおよび回路基板２０Ａの支持構成を中心に説明する。
【００９３】
第２実施形態のリスト機器２００Ａの機器本体３０は、第１実施形態と同様に、表側に開口した開口部３１ｓを備えたケース３１を有し、裏側には、光電センサー部４０の測定窓部４５が設けられている。ケース３１の開口部３１ｓは、内部構造を保護する天板部分としての透明板である風防板（本例ではガラス板）５５によって塞がれる。これにより、ケース３１の内部は、ケース３１と風防板５５とに囲まれたケース３１の内側に、閉空間である内部空間３６となる。そして、図９に示すように、ケース３１内の内部空間３６には、リスト機器２００Ａを構成する要素部品が収容されているが、第１実施形態と同様であるので詳細な説明は省略する。
【００９４】
アンテナ部としてのＧＰＳアンテナ２８Ａは、非導電性部材としての、例えば樹脂部材で構成されたベース２６Ａと、ベース２６Ａの風防板５５側（＋Ｚ軸方向）に位置する表面に設けられた、例えば銅、銅合金、アルミ、アルミ合金などの金属で構成される導電体２７Ａとを含む。ベース２６Ａは、ケース３１の開口部３１ｓの内周に沿った環状、もしくは開口部３１ｓの内周に沿って円弧状の部材を組み合わせた環状などの形状をなし、ケース３１の内壁に固定されている。なお、ベース２６Ａは、太陽電池８０の受光面８０ａ，８０ｂ，８０ｃ，８０ｄの法線方向（＋Ｚ軸方向）からの平面視において、太陽電池８０と重なるように配置される。導電体２７Ａは、概ね円板形状をなす金属薄板によって構成され、外周部分がベース２６Ａの風防板５５側（＋Ｚ軸方向）に位置する表面に接続されている。ＧＰＳアンテナ２８Ａは、非導電性のベース２６Ａを誘電体として見立てて、ベース２６Ａ（誘電体）による波長短縮効果を利用することによりアンテナが構成される。このようなアンテナは、ベース２６Ａとベース２６Ａの表面を含み配置された導電体２７Ａとによって薄型に構成することができる。
【００９５】
なお、ＧＰＳアンテナ２８Ａを構成するベース２６Ａは、＋Ｚ軸方向から見た平面視で、表示部５０の輪郭、換言すれば、後述する太陽電池８０の内周８０ｉｓよりも外側（ケース３１の外周側）に配置されることが好ましい。このように、ベース２６Ａをケース３１の外周側に配置すれば、表示部５０や太陽電池８０などの配置レイアウトの自由度を広げることができ、表示部５０や太陽電池８０などを、より効果的に配置することができる。
【００９６】
また、ＧＰＳアンテナ２８Ａは、回路基板２０Ａに支持された接点である接続部２５Ａを介して、回路基板２０Ａに支持されたＣＰＵ２１と電気的に接続されている。このような接続により、ＣＰＵ２１と別部材であるＧＰＳアンテナ２８Ａとの電気的な接続を回路基板２０Ａ上でコンパクトに行うことができる。そして、接点である接続部２５Ａは、＋Ｚ軸方向からの平面視で、太陽電池８０と重なって配置されていることが好ましい。このように、＋Ｚ軸方向からの平面視で、接続部２５Ａが太陽電池８０と重なって配置されることにより、ＧＰＳアンテナ２８ＡとＣＰＵ２１との配置レイアウトの自由度を広げ、且つコンパクトな配置とすることができる。また、ＧＰＳアンテナ２８Ａの受信感度に影響させることなく太陽電池８０の受光面積を大きくすることができ、太陽電池８０の発電量を増大させることができる。
【００９７】
また、導電体２７Ａは、ベース２６Ａの風防板５５側（＋Ｚ軸方向）に位置する表面側のみでなく、表面側と反対側の裏面側に設けてもよい。また、表面側と裏面側の両側に設けてもよい。
【００９８】
回路基板２０Ａは、表面２０ｆ（第１面）と、表面２０ｆと異なる面であり表面２０ｆの反対側の面となる裏面２０ｒ（第２面）とを含み、外周側の端部が回路固定部である回路ケース７５Ａに取り付けられ、回路ケース７５Ａを介してケース３１の内側に支持されている。回路基板２０の表面２０ｆには、体動センサー部１７０に含まれるセンサーとしての方位センサー２２や加速度センサー２３、および制御回路としてのＣＰＵ２１などが実装され、裏面２０ｒには、他の回路素子２４などが実装され、それぞれが電気的に接続されている。また、回路基板２０Ａの表面２０ｆの端部には、ＧＰＳアンテナ２８ＡとＣＰＵ２１とを電気的に接続する接点である接続部２５Ａが支持（接続）されている。
【００９９】
上述した携帯型電子機器の第２実施形態に係るリスト機器２００Ａによれば、非導電性部材としてのベース２６Ａを誘電体として見立てて、ベース２６Ａによる波長短縮効果を利用することにより、ベース２６Ａとベース２６Ａの表面に設けられた金属薄板の導電体２７Ａとによって、薄型に構成されたＧＰＳアンテナ２８Ａを実現できる。そして、ＧＰＳアンテナＡのベース２６Ａの少なくとも一部が、＋Ｚ軸方向からの平面視で、太陽電池８０と重なって配置されていることから、小型の携帯型電子機器としてのリスト機器２００Ａにおいても、太陽電池８０およびＧＰＳアンテナ２８Ａなどの要素部品をケース３１内に収容することが可能となる。
【０１００】
また、＋Ｚ軸方向からの平面視で、ＧＰＳアンテナ２８ＡとＣＰＵ２１とを電気的に接続している接続部２５Ａ（接点）が、太陽電池８０と重なって配置されることにより、ＧＰＳアンテナ２８ＡとＣＰＵ２１との配置レイアウトの自由度を広げ、且つコンパクトな配置とすることができる。また、ＧＰＳアンテナ２８Ａの受信感度に影響させることなく太陽電池８０の受光面積を大きくすることができ、太陽電池８０の発電量を増大させることができる。
【０１０１】
５．太陽電池とＧＰＳアンテナの配置の変形例
なお、上述の実施形態では、四つの扇型のパネルを環状に配置して構成された太陽電池８０が、表示パネル６０の外縁側に配置され、＋Ｚ軸方向からの平面視で、太陽電池８０と少なくとも一部が重なる位置にＧＰＳアンテナ２８が配置されている構成を示して説明したが、太陽電池８０およびＧＰＳアンテナ２８の配置構成は、これに限らない。太陽電池８０の配置と構成（形状）およびＧＰＳアンテナ２８の配置は、例えば、次の変形例に示すような構成とすることが可能である。なお、太陽電池８０およびＧＰＳアンテナ２８の配置構成は、変形例に限定するものではなく他の構成とすることができる。以下、図１１から図１４を参照して、太陽電池８０およびＧＰＳアンテナ２８の配置の変形例１から変形例４を順次説明する。なお、図１１〜図１４は、太陽電池およびＧＰＳアンテナの配置の変形例を示す平面図であり、図１１は変形例１を示し、図１２は変形例２を示し、図１３は変形例３を示し、図１４は変形例４を示す。
【０１０２】
（変形例１）
先ず、図１１を参照して、太陽電池およびＧＰＳアンテナの配置の変形例１について説明する。図１１に示すように、変形例１に係る太陽電池８０１は、風防板５５と表示パネル６０（図４参照）との間にあって、Ｘ軸およびＹ軸に対して略４５度の角度を有する位置において四つのパネルに分割されて配置され、それぞれのパネルの受光面８０ｉ，８０ｊ，８０ｋ，８０ｍが、＋Ｚ軸方向に向くように配置されている。太陽電池８０１は、ケース３１の開口部３１ｓの外周に沿った外周８０１ｏｓ、および外周８０１ｏｓよりも周長が短い内周８０１ｉｓを有し、表示パネル６０の外周部に配置されている。即ち、受光面８０ｉ，８０ｊ，８０ｋ，８０ｍを有するそれぞれのパネルにおいても、外周よりも周長が短い内周を有している。太陽電池８０１は、受光面８０ｉ，８０ｊ，８０ｋ，８０ｍを有するそれぞれのパネルによって、中央部が矩形（本例では、略正方形）の貫通孔となるように構成されている。即ち、太陽電池８０１は、それぞれのパネルの外周側が円弧状をなし、中央側が略直線状をなしており、矩形形状の表示部５０１が構成される。なお、本構成では、四つのパネルを用いた太陽電池８０１を例示しているが、太陽電池８０１は、分割されない一体のパネルで構成されてもよい。
【０１０３】
ここで、ＧＰＳアンテナ２８は、第１実施形態と同様に、非導電性部材としての、例えば樹脂部材で構成されたベース２６と、ベース２６の風防板５５側に位置する表面に設けられた導電体２７とを含む。ベース２６は、１２時方向（＋Ｙ軸方向）のケース３１の開口部３１ｓの内周に沿って湾曲して配置され、太陽電池８０１の受光面８０ｉ，８０ｊ，８０ｋ，８０ｍの法線方向（＋Ｚ軸方向）からの平面視において、太陽電池８０１（受光面８０ｉ）と重なるように配置される。換言すれば、ＧＰＳアンテナ２８は、＋Ｚ軸方向から見た平面視で、表示部５０１の輪郭、換言すれば、太陽電池８０１の内周８０１ｉｓよりも外側（ケース３１の外周側）に配置される。このように、ＧＰＳアンテナ２８をケース３１の外周側に配置すれば、表示部５０１や太陽電池８０１などの配置レイアウトの自由度を広げることができ、表示部５０１や太陽電池８０１などを、より効果的に配置することができる。
【０１０４】
光電センサー部４０は、発光部４２および受光部４１が接続されたセンサー基板４３を少なくとも含み、＋Ｚ軸方向から見た平面視で、太陽電池８０１の矩形（本例では、略正方形）の貫通孔の中央部に位置されている。すなわち、光電センサー部４０は、＋Ｚ軸方向から見た平面視で、太陽電池８０１と重ならないように内側にあって、太陽電池８０１に囲まれて配置されている。なお、光電センサー部４０の構成は、第１実施形態と同様であるのでここでの説明は省略する。
【０１０５】
変形例１に係る太陽電池８０１およびＧＰＳアンテナ２８の配置によれば、太陽電池８０１およびＧＰＳアンテナ２８の配置レイアウトの自由度を広げ、且つＧＰＳアンテナ２８の受信感度に影響させることなく太陽電池８０１の受光面積を大きくすることができ、太陽電池８０１の発電量を増大させることができる。
【０１０６】
（変形例２）
次に、図１２を参照して、太陽電池およびＧＰＳアンテナの配置の変形例２について説明する。図１２に示すように、変形例２に係る太陽電池８０２は、風防板５５と表示パネル６０（図４参照）との間にあって、外周側が円弧状の外縁をなし、中央側が略直線状の直線部をなす二つのパネルによって構成され、略直線状の直線部がＸ軸に沿って互いに対向するように、二つのパネル間に表示部５０２を構成するように配置されている。具体的に、太陽電池８０２は、ケース３１の開口部３１ｓの内周に沿った外周８０２ｏｓ、および外周８０２ｏｓよりも周長が短い内周８０２ｉｓを有し、表示パネル６０の外周部に配置されている。即ち、受光面８０ｎ，８０ｐを有するそれぞれのパネルにおいても、外周よりも周長が短い内周を有している。なお、太陽電池８０２を構成するそれぞれのパネルの受光面８０ｎ，８０ｐは、＋Ｚ軸方向に向くように配置されている。
【０１０７】
ＧＰＳアンテナ２８は、第１実施形態と同様に、非導電性部材として、樹脂部材で構成されたベース２６と、ベース２６の風防板５５側に位置する表面に設けられた導電体２７とを含む。ベース２６は、１２時方向（＋Ｙ軸方向）のケース３１の開口部３１ｓの内周に沿って湾曲して配置され、太陽電池８０２の受光面８０ｎ，８０ｐの法線方向（＋Ｚ軸方向）からの平面視において、太陽電池８０２（受光面８０ｎ）と重なるように配置される。換言すれば、ＧＰＳアンテナ２８は、＋Ｚ軸方向から見た平面視で、表示部５０２の輪郭、換言すれば、太陽電池８０２の内周８０２ｉｓよりも外側（ケース３１の外周側）に配置される。このように、ＧＰＳアンテナ２８をケース３１の外周側に配置すれば、表示部５０２や太陽電池８０２などの配置レイアウトの自由度を広げることができ、表示部５０２や太陽電池８０２などを、より効果的に配置することができる。
【０１０８】
光電センサー部４０は、発光部４２および受光部４１が接続されたセンサー基板４３を少なくとも含み、＋Ｚ軸方向から見た平面視で、太陽電池８０２の中央部に配置された表示部５０２の内に位置されている。即ち、光電センサー部４０は、＋Ｚ軸方向から見た平面視で、太陽電池８０２と重ならない位置に配置されている。なお、光電センサー部４０の構成は、上述と同様であるのでここでの説明は省略する。
【０１０９】
変形例２に係る太陽電池８０２およびＧＰＳアンテナ２８の配置によれば、太陽電池８０２およびＧＰＳアンテナ２８の配置レイアウトの自由度を広げ、且つＧＰＳアンテナ２８の受信感度に影響させることなく太陽電池８０２の受光面積を大きくすることができ、太陽電池８０２の発電量を増大させることができる。
【０１１０】
（変形例３）
次に、図１３を参照して、太陽電池およびＧＰＳアンテナの配置の変形例３について説明する。図１３に示す変形例３に係る太陽電池８０３は、風防板５５と表示パネル６０（図４参照）との間にあって、表示パネル６０の外縁側に位置し、外周側が円弧状の外縁をなし、中央側がＹ軸に沿った略直線状の外縁をなす半円状の一つのパネルによって構成されている。具体的に、太陽電池８０３は、ケース３１の開口部３１ｓの内周に沿った外周８０３ｏｓ、および外周８０３ｏｓよりも周長が短い内周８０３ｉｓを有し、表示パネル６０の一方の外周部に配置されている。なお、太陽電池８０３は、ケース３１の＋Ｘ軸側（３時側）に配置されている。したがって、表示部５０３は、ケース３１の−Ｘ軸側（９時側）に配置される。また、太陽電池８０３を構成するパネルの受光面８０ｓは、＋Ｚ軸方向に向くように配置されている。
【０１１１】
ここで、ＧＰＳアンテナ２８は、第１実施形態と同様に、非導電性部材として樹脂部材で構成されたベース２６と、ベース２６の風防板５５側に位置する表面に設けられた導電体２７とを含む。ベース２６は、１２時方向（＋Ｙ軸方向）のケース３１の開口部３１ｓの内周に沿って湾曲して配置され、太陽電池８０３の受光面８０ｓの法線方向（＋Ｚ軸方向）からの平面視において、太陽電池８０３（受光面８０ｓ）と重なるように配置される。換言すれば、ＧＰＳアンテナ２８は、＋Ｚ軸方向から見た平面視で、表示部５０３の輪郭、換言すれば、太陽電池８０３の内周８０３ｉｓよりも外側（ケース３１の外周側）に配置される。このように、ＧＰＳアンテナ２８をケース３１の外周側に配置すれば、表示部５０３や太陽電池８０３などの配置レイアウトの自由度を広げることができ、表示部５０３や太陽電池８０３などを、より効果的に配置することができる。
【０１１２】
ここで、光電センサー部４０３は、発光部４２および受光部４１が接続されたセンサー基板４３を少なくとも含み、＋Ｚ軸方向から見た平面視で、表示部５０３の内に配置される。即ち、光電センサー部４０３は、＋Ｚ軸方向から見た平面視で、太陽電池８０３と重ならない位置に配置されている。なお、光電センサー部４０３の構成は、上述と同様であるのでここでの説明は省略する。
【０１１３】
変形例３に係る太陽電池８０３およびＧＰＳアンテナ２８の配置によれば、太陽電池８０３およびＧＰＳアンテナ２８の配置レイアウトの自由度を広げ、且つＧＰＳアンテナ２８の受信感度に影響させることなく太陽電池８０３の受光面積を大きくすることができ、太陽電池８０３の発電量を増大させることができる。
【０１１４】
なお、本変形例３の配置によれば、リスト機器２００をユーザーの手首に装着したとき、ケース３１の＋Ｘ軸側（３時側）は、ユーザーの指先側に位置することが多く、ユーザーの衣類（袖）が掛かり難い位置になることから、変形例３のように、ケース３１の＋Ｘ軸側（３時側）に太陽電池８０３を配置することにより、太陽光を受光することができる確率を高めることができ、より効率的な発電を行うことができる。
【０１１５】
（変形例４）
次に、図１４を参照して、太陽電池およびＧＰＳアンテナの配置の変形例４について説明する。図１４に示す変形例４に係る太陽電池８０４は、風防板５５と表示パネル６０（図４参照）との間にあって、表示パネル６０の外縁側に位置し、外周側が円弧状の外縁（外周）をなし、中心側がＸ軸に沿った略直線状の外縁（内周）をなす半円状の一つのパネルによって構成されている。具体的に、太陽電池８０４は、ケース３１の開口部３１ｓの外周に沿った外周８０４ｏｓ、および外周８０４ｏｓよりも周長が短い内周８０４ｉｓを有し、表示パネル６０の一方の外周部に配置されている。なお、太陽電池８０４は、ケース３１の＋Ｙ軸側（１２時側）に配置されている。したがって、表示部５０４は、ケース３１の−Ｙ軸側（６時側）に配置される。また、太陽電池８０４を構成するパネルの受光面８０ｕは、＋Ｚ軸方向に向くように配置されている。
【０１１６】
ここで、ＧＰＳアンテナ２８は、第１実施形態と同様に、非導電性部材として樹脂部材で構成されたベース２６と、ベース２６の風防板５５側に位置する表面に設けられた導電体２７とを含む。ベース２６は、１２時方向（＋Ｙ軸方向）のケース３１の開口部３１ｓの内周に沿って湾曲して配置され、太陽電池８０４の受光面８０ｕの法線方向（＋Ｚ軸方向）からの平面視において、太陽電池８０４（受光面８０ｕ）と重なるように配置される。換言すれば、ＧＰＳアンテナ２８は、＋Ｚ軸方向から見た平面視で、表示部５０の輪郭、換言すれば、太陽電池８０４の内周８０４ｉｓよりも外側（ケース３１の外周側）に配置される。このように、ＧＰＳアンテナ２８をケース３１の外周側に配置すれば、表示部５０や太陽電池８０４などの配置レイアウトの自由度を広げることができ、表示部５０や太陽電池８０４などを、より効果的に配置することができる。
【０１１７】
ここで、光電センサー部４０は、発光部４２および受光部４１が接続されたセンサー基板４３を少なくとも含み、＋Ｚ軸方向から見た平面視で、表示部５０の内に配置される。すなわち、光電センサー部４０は、＋Ｚ軸方向から見た平面視で、太陽電池８０４と重ならない位置に配置されている。なお、光電センサー部４０の構成は、上述と同様であるのでここでの説明は省略する。
【０１１８】
変形例４に係る太陽電池８０４およびＧＰＳアンテナ２８の配置によれば、太陽電池８０４およびＧＰＳアンテナ２８の配置レイアウトの自由度を広げ、且つＧＰＳアンテナ２８の受信感度に影響させることなく太陽電池８０４の受光面積を大きくすることができ，太陽電池８０４の発電量を増大させることができる。
【０１１９】
なお、上述した実施形態では、位置情報衛星を用いた位置測位システムの一例として、全地球的航法衛星システム（GNSS：Global Navigation Satellite System）が備える位置情報衛星としてＧＰＳ衛星８を用いたＧＰＳを例示して説明したが、これはあくまで一例である。全地球的航法衛星システムは、ガリレオ（EU）、GLONASS（ロシア）、北斗（中国）などの他のシステムや、SBASなどの静止衛星や準天頂衛星などの衛星信号を発信する位置情報衛星を備えるものであればよい。即ち、リスト機器２００は、ＧＰＳ衛星８以外の衛星を含む位置情報衛星からの電波（無線信号）を処理して把握される日付情報、時刻情報、位置情報および速度情報のいずれか一つを取得する構成であってもよい。なお、全地球的航法衛星システムは、地域航法衛星システム（RNSS：Regional Navigation Satellite System）とすることができる。
【符号の説明】
【０１２０】
８…ＧＰＳ衛星、１０…バンド部、２０…回路基板、２０ｆ…表面（第１面）、２０ｒ…裏面（第２面）、２１…ＣＰＵ、２２…方位センサー、２３…加速度センサー、２４…回路素子、２５…接続部（接点）、２６…非導電部材としてのベース、２７…導電体、２８…アンテナ部としてのＧＰＳアンテナ、２９…通信部、３０…機器本体、３１…ケース、３１ｓ…開口部、３２…凸状部、３４…突起部、３６…内部空間、４０…生体情報測定部としての光電センサー部、４１…受光部、４２…発光部、４３…センサー基板、４４…透明カバー、４５…測定窓部、４６…接続配線部、５０…表示部、５５…風防版、５６…接合部材、５７…ベゼル、５８…操作部（操作ボタン）、６０…表示パネル、６１…照明部、６３…接続配線部、７０…二次電池、７５…回路ケース（回路固定部）、８０…太陽電池、８０ａ，８０ｂ，８０ｃ，８０ｄ…受光面（パネル）、８０ｏｓ…太陽電池の外周、８０ｉｓ…太陽電池の内周、８１…接続配線部、１００…運動支援システム、１６０…ＧＰＳ受信部、１７０…体動センサー部、１８０…記憶部、２００…携帯型電子機器としてのリスト機器、３００…運動支援装置としての携帯機器、４００…サーバー（情報処理装置）、ＮＥ…ネットワーク、Ｌ１，Ｌ２…距離、Ｇ…太陽電池の重心。
【図１】
2019032221.tif 000003
【図２】
2019032221.tif 000004
【図３】
2019032221.tif 000005
【図４】
2019032221.tif 000006
【図５】
2019032221.tif 000007
【図６】
2019032221.tif 000008
【図７】
2019032221.tif 000009
【図８】
2019032221.tif 000010
【図９】
2019032221.tif 000011
【図１０】
2019032221.tif 000012
【図１１】
2019032221.tif 000013
【図１２】
2019032221.tif 000014
【図１３】
2019032221.tif 000015
【図１４】
2019032221.tif 000016